(57)【要約】      （修正有）【課題】本発明は、ハウジングと、ハウジングに対して変位可能にハウジングに配置されたハンドルとを具備するハンドヘルド式電気装置を提供する。【解決手段】ハンドル３が、リング形状に形成された保持装置４によりハウジング２に装着され、その保持装置４は、ハウジング２を周方向に少なくとも部分的に取り囲んでおり、ハンドル３は保持装置４に対してその上で旋回可能に装着されている。ユーザのために電気装置１の取扱いを改善するべく、ハウジング２と保持装置４とが対応する電気的接点を有し、少なくともハウジング２又は保持装置４が複数の電気的接点を有し、それらのうち少なくとも１つの電気的接点が、保持装置４の変位位置に応じて保持装置４またはハウジング２の電気的接点と接続可能である。【選択図】図１
2020040201.tif 000002
【特許請求の範囲】
【請求項１】
ハウジング（２）と、前記ハウジング（２）に対して変位可能に前記ハウジング（２）に配置されたハンドル（３）とを具備するハンドヘルド式の電気装置（１）であって、前記ハンドル（３）がリング形状に形成された保持装置（４）により前記ハウジング（２）に装着されており、前記保持装置（４）が前記ハウジング（２）を周方向に少なくとも部分的に取り囲み、前記ハンドル（３）が前記保持装置（４）に対して旋回可能に前記保持装置（４）に装着されている、前記電気装置（１）において、
前記ハウジング（２）及び前記保持装置（４）が対応する電気的接点を有し、少なくとも前記ハウジング（２）又は前記保持装置（４）が複数の電気的接点を有し、それらの電気的接点のうち少なくとも１つの電気的接点が、前記保持装置（４）の変位位置に応じて前記保持装置（４）又は前記ハウジング（２）の１つの電気的接点と接続可能であることを特徴とする電気装置。
【請求項２】
前記保持装置（４）が、前記電気装置（１）の長手方向に直線的にシフト可能に前記ハウジング（２）に装着されており、かつ／又は、前記電気装置（１）の周方向に回転可能に前記ハウジング（２）に装着されていることを特徴とする請求項１に記載の電気装置（１）。
【請求項３】
前記保持装置（４）が、形状的接続により又は摩擦的接続より、前記ハウジング（２）に保持されていることを特徴とする請求項１又は２に記載の電気装置（１）。
【請求項４】
リング形状の前記保持装置（４）の直径が可逆的に可変であり、前記保持装置（４）は、クランプとして、かつ／又は、復元させる弾性力により付勢されたスナップリングとして構成されていることを特徴とする請求項１〜３のいずれかに記載の電気装置（１）。
【請求項５】
前記保持装置（４）が、さね継ぎ接続によりハウジング（２）に対して変位可能であり、前記ハウジング（２）又は前記保持装置（４）に少なくとも１つの溝（５）が軸方向又は周方向に形成され、その中に前記保持装置（４）又は前記ハウジング（２）の突起（６）が嵌合することを特徴とする請求項１〜４のいずれかに記載の電気装置（１）。
【請求項６】
前記ハウジング（２）及び前記保持装置（４）が対応する接続要素（７〜１６）を有し、少なくとも前記ハウジング（２）又は前記保持装置（４）が複数の接続要素（７〜１６）を有し、それらのうちの少なくとも１つの接続要素（７〜１６）が、前記保持装置（４）の変位位置に応じて前記保持装置（４）又は前記ハウジング（２）の１つの接続要素（７〜１６）と接続可能であることを特徴とする請求項１〜５のいずれかに記載の電気装置（１）。
【請求項７】
前記保持装置（４）が２つの互いに同心に配置されたリング要素（１７、１８）を有し、それらのうち径方向内側の第１のリング要素（１７）が、前記電気装置（１９）の電源に対する電気的接続を有する電気的な接点レール（１９）を備えており、かつ、径方向外側の第２のリング要素（１８）が、前記接点レール（１９）に沿って変位可能な集電体（２０）を備えており、前記集電体（２０）は前記第２のリング要素（１８）が前記第１のリング要素（１７）に対して変位するとき前記接点レール（１９）に対する電気的接触を維持することを特徴とする請求項１〜６のいずれかに記載の電気装置（１）。
【請求項８】
前記保持装置（４）及び／又は前記ハンドル（３）が、前記電気装置（１）の電気的負荷を制御するための電気的スイッチ（２１）を有することを特徴とする請求項１〜７のいずれかに記載の電気装置（１）。
【発明の詳細な説明】
【技術分野】
【０００１】
本発明は、ハウジングと、ハウジングに対して変位可能にハウジングに配置されたハンドルとを具備するハンドヘルド式の電気装置、特に掃除機に関し、ハンドルは、リング形状に形成された保持装置を用いてハウジングに装着されており、保持装置は、ハウジングを周方向において少なくとも部分的に取り囲み、ハンドルは保持装置に対して旋回可能に保持装置に装着されている。
【背景技術】
【０００２】
ハンドヘルド式電気装置は、例えば掃除機又は電気的ツールとして従来公知の技術である。特に、ハンドヘルド式電気装置として、吸引掃除機、拭き掃除機、研磨装置、スクリュードライバ、ドリル、ハンマドリル等がある。
【０００３】
従来技術において、例えば、ハンドルを有するドリルが知られており、そのハンドルは、回転可能にドリルに装着された保持装置により支持され、リング形状の保持装置に対して径方向に長手方向を有して延在している。ハンドルは、保持装置をドリルに挟み込むために長手軸の周りで回転させることができる。このような電気装置は、例えば特許文献１に開示されている。
【０００４】
さらに、バッテリ駆動装置として構成された掃除機が知られている。これは、床より上方の掃除のために使用され、掃除機のユーザがその手で持ち運ぶことが好適である。そのために、掃除機は、ハウジングに配置されたハンドルにより運ばれ、かつ掃除対象面上で動かされる。
【０００５】
特許文献２は、例えば、必要に応じて装置ハウジングに置かれた静止位置から使用位置に旋回させることができるようなハンドルを具備する電気装置を開示している。その場合、ハンドルは装置ハウジングから突出してユーザの手により掴むことができる。旋回した使用位置において、旋回した使用位置をロックするために、装置ハウジングに対するハンドルの直線状のシフト、回転又はテレスコープ様の伸縮が行われる。それによってハンドルが、望ましくなく旋回して静止位置に戻ることなく、必要に応じてユーザの手に捕捉される。
【先行技術文献】
【特許文献】
【０００６】
【特許文献１】独国特許出願公開第10 2009 000 598号公報
【特許文献２】独国特許出願公開第10 2015 118 621号公報
【発明の概要】
【発明が解決しようとする課題】
【０００７】
上述した従来技術を起点として、本発明の目的は、ハンドヘルド式電気装置の取扱いを改善することであり、特に、ユーザにとってさらに多様な装置の使用が可能となるように改善することである。
【課題を解決するための手段】
【０００８】
上記の目的を達成するために、ハウジング及び保持装置が対応する電気的接点を有し、少なくともハウジング又は保持装置が複数の電気的接点を有し、それらのうちの少なくとも１つの電気的接点が、保持装置の変位位置に応じて、保持装置又はハウジングの１つの電気的接点と接続可能であることが提示される。
【０００９】
本発明によれば、ハウジング及び保持装置が、対応する電気的接点を有することもでき、それらは、保持装置のハウジング上での軸方向位置又は周方向位置に応じて、電気装置の電気部品と保持装置又はハンドルの電気部品との間の電気的接続を提供する。特に好適には、電気的接点を、後述する接続要素に組み込むこともでき、それによって２つの対応する接続要素が接続するとき、同時に電気的接続も生じる。
【００１０】
ハンドルは、旋回可能に保持装置に装着されている。それにより、ハウジングに対する保持装置の相対的変位が可能であるのみでなく、保持装置に対するハンドルの変位も可能となる。特にハンドルは、ハンドルがハウジングの長手方向に平行に向いている位置と、ハンドルがハウジングの長手方向に垂直に向いている位置との間で旋回できる。ハンドルは、例えば幾つかの規定された角度位置、例えば４５°の増分で規定された角度位置に設定可能である。この回転は、例えばハンドルのロック解除要素が作動したとき、ハンドルと保持装置との間のクランプ力が解放されることによって可能となる。電気装置のユーザが持って操作したい側に応じて、電気装置上でのハンドルの各位置を設定することができる。
【００１１】
保持装置は、好適には、電気装置の長手方向において直線的にシフト可能であるように電気装置のハウジングに装着されている。それによりハンドルは、ユーザのための把持位置を好適に変更するために、電気装置の軸方向にシフトすることができる。直線的なシフト可能範囲は、好適には、少なくとも２５ｍｍから３００ｍｍまでの長さ範囲とされる。このために、好適には電気装置のハウジングが少なくとも軸長部分に関して円筒形に形成されることによって、ハウジング上での直線的なシフトが可能となる。提示された実施形態により、電気装置の重心に対するハンドルの位置を変えることによって、異なる使用状況において、ハンドルを介して快適に装置を移動させることが可能となる。それによって、例えば電気装置の床での使用から床上方での使用に変更するとき、ハンドルを好適に調整することができる。例えば、床での使用時は、重心の位置がユーザの手首の近くにあることが好ましい。天井領域での使用時は、重心の位置がユーザの肘と手首の間にあることが好ましい。その他の使用においては、重心の位置が、ユーザの手と手首の間にあることが好ましい場合もある。これによって、電気装置の取扱い時に人間工学的観点を考慮したハンドルの位置のフレキシブルな調整が実現される。それは、ユーザの身体、特に手首に作用する回転トルク及び力を低減することによって実現される。
【００１２】
さらに、代替的に又は付加的に、保持装置が、ハウジングに対して電気装置の周方向に回転可能に装着されている。この実施形態により、保持装置は、電気装置の長手方向に変位可能であるのみでなく、電気装置のハウジングの周りで回転可能であることによって、保持装置に配置されたハンドルがその位置を、電気装置のハウジングの周方向に変更させられる。この実施形態により、ハンドルの位置を、例えば左利き又は右利きのニーズに合わせることができる。ユーザが電気装置を移動させるためにどちら側を持ちたいかによって、ハンドルが特に好適に配置される、ハウジングのいずれかの周縁部分を選択できる。同様に、それによって電気装置は、例えば、電気装置の通常の使用の向きにおいて、上方から又は下方から持つことができる。
【００１３】
保持装置は、閉じたリング形状に形成することができる。しかしながらそれに替えて、ハウジングの周囲の部分領域のみを取り囲むこともでき、それによって開いたＣ形状の保持装置となる。したがって、保持装置およびそれによってハンドルも、ハウジングの外面上でシフトしかつ／又はハウジングの周りで回転することができる。その結果、現在の作業タスクに対応して、装置の重心に対して異なる把持位置を設定することができ、それによって取扱いが容易となる。
【００１４】
ハウジングの外壁と保持装置の内壁との間に滑り部材を配置するか滑りコーティングが形成されることが好ましい。それらは、保持装置によりハウジングが損傷したり引っ掻かれることを防止する。特に、保持装置が、ハウジングの方に向いた内面側に、電気装置のハウジング上での部材摩耗を防止するコーティングを有することができる。そのような滑りコーティングは、例えば、ハウジングと保持装置との間の摩擦力を低減する滑り被膜とすることができる。しかしながらそれに替えて、保持装置が、少なくとも部分的にエラストマーから作製されることができ、それによって例えばハウジングの引っ掻きが防止される。
【００１５】
装置の長手方向に対して垂直に形成される装置平面の中心点に関して、保持装置が装置ハウジングを完全に取り囲むことが提供され得る。しかしながら、保持装置はまた、分割された部材として形成することもでき、その分割された部材は、中心点に関して互いに反対側に位置する周囲部材により保持装置又はハウジングの固定ベアリングに対して保持力を伝達する。
【００１６】
保持装置が、形状的接続及び／又は摩擦的接続によりハウジングに保持されることが提示される。形状的接続による保持の場合、保持装置の内面が、ハウジングの外面の輪郭と対応する輪郭を有することによって、保持装置とハウジングの対応する形状要素が嵌合することで保持装置の嵌合位置がハウジングに固定される。代替的に又は付加的に、保持装置が、摩擦的接続によりハウジングに保持されることができる。そのために保持装置は、例えばハウジングにクランプされることができる。特に、形状的接続と摩擦的接続による保持の組合せが好適であり、それによって保持装置の位置およびそれによってハンドルの位置も、規定された位置に固定することができる。好適には、保持装置のクランプ力が形状的接続により付加的に補助されることによって、クランプ力を全体的に低減することができ、それにより例えばハウジングに対する損傷を減らし、又は、ユーザによるクランプの解放を容易とする。
【００１７】
特に、リング形状の保持装置の直径が可逆的に可変であることが提示される。その場合、保持装置が、特にクランプとして、及び／又は、復元させる弾性力により付勢されたスナップリングとして形成される。保持装置の回転移動及び／又は直線移動は、保持装置と、電気装置のハウジングとの摩擦的接続により可能となる。その場合、保持装置は、通常状態の間はハウジングに固定されており、調整を可能とするために拡張される。拡張は、例えば、ロック解除要素により行うことができ、ロック解除要素はリング形状の保持装置の孔にくさび状に押し込まれる。その場合、保持装置は、複数の同心に配置された層からなり、外側の層が内側の層のための受容要素を構成する。外側の層がハウジングに対して不動のままである一方、内側の層は電気装置のハウジングと接続するためのクランプ要素を有する。保持装置又はそのクランプ機能は、ロック解除要素を動作させることにより解除することでき、例えば、ロック解除要素は、復元させる弾性力により付勢されたスナップリングを拡張する。そのスナップリングは、形状的接続及び摩擦的接続に伴う復元力によって装置ハウジングの周りに固定されている。さらに、保持装置はまた、例えば螺子又はラチェット機構を用いてハウジングに対して引き寄せられるクランプとすることもできる。
【００１８】
さらに、保持装置が、さね継ぎ接続によりハウジングに対して変位可能であることが提示される。その場合、ハウジング又は保持装置が軸方向又は周方向に少なくとも溝を形成されており、そして保持装置又はハウジングの突起と係合する。その場合、溝は、対応する突起のためのガイドスロットを構成する。溝は、ハウジング又は保持装置のいずれかに形成することができ、又は、対応して突起も保持装置又はハウジングのいずれかに形成することができる。溝は、例えば軸方向に延在することができ、それによってハウジングに対する保持装置の直線状の変位が可能となる。さらに、溝がハウジング又は保持装置の周方向に形成できることによって、ハウジングの周りで保持装置の回転が可能となる。その場合、保持装置又はハウジング上に複数の溝を形成することもでき、それらは交差しており、そしてハウジング上での保持装置のための規定の変位経路を具備する格子を予め設定する。
【００１９】
さらに、ハウジングと保持装置が対応する接続要素を有し、適切な場合は対応する電気的接点に関係する接続要素を有することが提示される。その場合、少なくともハウジング又は保持装置が複数の接続要素と電気的接点とを有し、それらのうち少なくとも１つの接続要素及び／又は電気的接点が、保持装置の変位位置に応じて、保持装置又はハウジングの接続要素及び／又は電気的接点と接続可能である。例えば、ハウジングが複数の接続要素を設けられ、一方、保持装置がそれに対応する接続要素を１つのみ有することができる。保持装置が軸方向に変位するとき又は保持装置が回転するとき、保持装置の個々の接続要素が、互いに前後に配置されたハウジング接続要素に係合することができる。それにより、ハウジング上での保持装置の位置の段階的設定が行われる。さらに、ハウジング及び保持装置が複数の接続要素を有することによって、保持装置の変位範囲をさらに拡大できるか、又は保持装置の異なる位置の段階を細かくすることができる。逆にハウジングが１つのみの接続要素を有し、保持装置が複数の接続要素を有することも、同様に可能である。接続要素は、例えば一方を部材凹部とし、他方を、対応する部材凹部に係合可能な部材凸部とすることができる。例えば、部材凸部は、径方向に変位可能な、好適には弾性的に付勢されたロックボルトとして形成されることができ、そのロックボルトは、保持装置の変位を可能とするべく凸部を凹部から解放するために、突出位置から復帰変位位置へと変位させることができる。さらに、対応する接続要素が、ハウジングの外側の歯機構又は保持装置の内側の歯機構の部分であることも可能である。ハウジングと保持装置の対応する歯は、複数の異なる回転位置にて互いに歯合する。その場合、歯合の解除は、リング形状の保持装置の拡張により、又は、分離トルクを超えることにより可能である。部材凹部は、軸方向又は周方向における溝として形成することができ、それによって１つの方向において無段階調整が可能となり、かつそれに対して直交する方向において、部材凹部又はラチェット歯の間隔により予め規定された段階的調整が可能となる。例えば、ハウジングの周方向において、周方向に互いに前後に配置された歯をもつ歯機構を形成することができ、それらが軸方向においては溝を構成する。
【００２０】
さらに、保持装置が互いに同心に配置された２つのリング要素を有し、それらのうち径方向内側の第１のリング要素が、電気装置の電源への電気的接続を有する電気的接点レールを備えると共に、径方向外側の第２のリング要素が、接点レールに沿って変位可能な電気的集電体を備え、電気的集電体は、第２のリング要素が第１のリング要素に対して変位動作するとき、接点レールに対する電気的接触を維持する。集電体が接点レールと好適には永続的に接続されることによって、保持装置のハウジングに対する現在位置に関わらず電力伝達が行われる。この実施形態によれば、保持装置のための電気装置の電気的接触が常に安定している。保持装置の回転移動又は直線移動は、再び同様に摩擦的接続及び／又は形状的接続を介して行われる。電気的接触は、保持装置のクランプ機構に組み込まれることが好ましい。電気装置の長手方向における直線的変位中にも電気的接触を維持できるように、好適にはハウジング上に所定の長さで電気的接点が配置されており、それらの電気的接点は、保持装置との特にそのリング形状の接点レールとの段階的接続を可能とする。
【００２１】
さらに、保持装置及び／又はハンドルが、電気装置の電気的負荷を制御するための電気的スイッチを有することが提示される。電気的スイッチは、一実施形態によれば、例えば電気装置の電気的負荷の作動のためのオンオフスイッチである。例えば、電気的スイッチにより、電気装置のモータファンユニットをオンオフ切り替えすることができる。電気的スイッチは着脱可能な要素として形成することができ、それによって電気的スイッチが無線通信接続を介して電気装置の遠隔制御を行うことがさらに可能となる。さらにスイッチは、他の電気装置と接続するための無線通信装置を有することもできる。加えて、電気装置のハウジングと保持装置又はハンドルとの間の電気的接続により、保持装置又はハンドル上にディスプレイを形成し、ディスプレイ上でユーザに情報を示すことができかつ／又はユーザが入力することができる。
【図面の簡単な説明】
【００２２】
【図１】図１は、本発明による保持装置を具備するハンドヘルド式の電気装置である。
【図２】図２は、保持装置の斜視図である。
【図３】図３は、保持装置の断面図である。
【図４】図４は、第１の位置にある図３の保持装置の部分拡大断面図である。
【図５】図５は、第２の位置にある保持装置の図４に示した部分断面図である。
【図６】図６は、さらに別の実施形態による保持装置である。
【図７】図７は、図６による保持装置の部分拡大断面図である。
【図８】図８は、さらに別の実施形態による保持装置である。
【図９】図９は、図８による保持装置の部分拡大断面図である。
【図１０】図１０は、さらに別の実施形態による保持装置である。
【図１１】図１１は、さらに別の実施形態による保持装置である。
【発明を実施するための形態】
【００２３】
以下、実施例を示した図面を参照して、本発明をさらに詳細に説明する。
図１は、例えば、手で持つタイプのハンドヘルド式の電気装置１を示し、すなわちここでは、例えば床面の掃除にも床上方の掃除にも使用することができるバッテリ掃除機である。電気装置１は、掃除対象面上で移動させられる吸引口２３を具備するハウジング２を有する。電気装置１のハウジング２は、一体に形成されたハウジングハンドル２４を有し、それは電気装置１のモーターファンユニット（図示せず）のオンオフ切り替えのためのスイッチ２１を搭載している。電気装置１のハウジング２は、実質的に円筒形に形成されており、ハウジング２の一部は、長手方向において一定の直径を有する。ハウジング２は、ハンドル３を具備する保持装置４を担持している。保持装置４はハウジング２を同心で取り囲み、かつハウジング２の長手方向にもハウジング２に対して周方向にも変位可能である。保持装置４は、２つの互いに同心に配置されたリング要素１７、１８からなり、すなわち径方向内側のリンク要素１７と径方向外側のリング要素１８である。リング要素１７、１８は、例えばエラストマーからなることができかつ互いに重なり、かつ／又は硬質プラスチックからなることができる。外側リング要素１８は閉じたリングとして形成されるのに対し、内側リング要素１７は、リング孔２５を具備するＣ形状を有する。内側リング要素１７は、復元力を有するバネリングであり、その復元力は、最小限の周部分となってリング孔２５を縮小するように内側に向けられている。ハンドル３は、リング孔２５に係合するロック解除要素２２を有する。ロック解除要素２２は、第２のリング要素１８の貫通孔２６（図３参照）を通して係合し、そして作動するとき、径方向内側に、第１のリング要素１７のリング孔２５内に押し込まれる。そのとき、リング孔２５内に係合するロック解除要素２２の自由端部がくさび状に形成されていることによって、ロック解除要素２２の作動時に、すなわちロック解除要素２２の押圧力が加わったときに内側リング要素１７の拡張が生じる。その場合、保持装置４によりハウジング２に作用するクランプ力が低減するか又は消失することによって、ユーザが、保持装置４をハウジングに対してシフトさせたり回転させたりすることができる。第１の内側リング要素１７の拡張は、例えば、双方のリング要素１７、１８の弾性的な構成により、又は双方のリング要素１７、１８の間に空いている環状ギャップにより可能となる。加えて、ロック解除要素２２が作動するとき、同時に、ハンドル３と保持装置４の第２の外側リング要素１８との間のクランプ力が低減することによって、ハンドル３が保持装置４及びハウジング２に対して変位可能となり、すなわちここでは、例えばハンドル３の回転軸の周りで回転することができる。
【００２４】
したがって、保持装置４とハンドル３は、互いに対して変位可能であると共にハウジング２に対しても変位可能であることによって、電気装置１のユーザが、ハウジング２上でのハンドル３の位置の個々の設定を行うことができる。特に、床又は床上方でそれぞれ使用するために、電気装置１の有利かつ人間工学的な操作及び移動を可能とするように、ハンドル３を電気装置１の重心に対して変位させることが可能である。さらに、保持装置４の変位による損傷からハウジング２の上面を保護するために、保持装置４が内面側に、すなわち内側リング要素１７に、滑り部材又は滑りコーティングを設けており、それは一方では例えばハウジング２と保持装置４との間の摩擦力を低減し、そして他方ではハウジング２に対する保持装置４の変位を可能とする。
【００２５】
図２〜図５は、図１に示した保持装置４の異なる視点（図２及び図３）並びに保持装置４の部分拡大断面図（図４及び図５）を示している。保持装置４のクランプ機構の動作態様を図３〜図５を参照して詳細に説明する。
【００２６】
図３及び図４は、ハウジング２に対してクランプされた状態の保持装置４を示す。このとき、ロック解除要素２２はまだ、内側リング要素１７のリング孔２５の外側にあるので、内側リング要素１７は解放されている。その後、ロック解除要素２２の作動により、ユーザは、スナップリングとして形成された内側リング要素１７を拡張させる。そのために、ロック解除要素２２が保持装置４に押し込まれ、その場合好適には、ロック解除要素２２の自由端部が、先ず、第２のリング要素１８の貫通孔２６を通って非接触で通過し、そしてさらに変位したとき、内側リング要素１７に接触し、リング要素１７がその復元力に抗して拡張する。その拡張によって、内側リング要素１７の直径が変化することにより、電気装置１のハウジング２に対する保持装置４のクランプ力が消失するか又は少なくとも低減される。それによりユーザは、保持装置４をハウジング２に対して変位させることができ、すなわちハウジング２の軸方向及び／又は周方向に変位させることができる。加えて、好適には、ハンドル３も保持装置４に対して回転させることができる。内側リング要素１７の拡張した状態を図５に示す。その後、ロック解除要素２２が再び解放されると、内側リング要素１７が復元させる弾性力にしたがって一緒に押し戻されることで、その直径が縮小される。その結果、ロック解除要素２２は、リング孔２５から押し出される。続いて、内側リング要素１７は最小直径をもってハウジング２に対して再び押し付けられることによって、ハウジング２に対する摩擦力による接続が行われる。ロック解除要素２２は、好適には戻り要素（図示せず）を介してハンドル３に装着されることによって、ロック解除要素２２の解除時にロック解除要素２２が外側リング要素１８からも出て変位することになる。
【００２７】
図６及び図７は、第２の実施形態を示している。保持装置４におけるバネピンとして形成された接続要素１２が、電気装置１のハウジング２における複数の使用可能な接続要素７〜１１の１つに係合する。接続要素１２は、関係するバネ要素２７の復元力によってハウジング２の部材凹部すなわち接続要素９に係合するロックボルトの態様で構成されている。接続要素１２は、ハンドル３に配置されたロック解除要素２２の作動により、接続要素９から解放されることができる。そのために、例えば、ロック解除要素２２と接続要素１２及び／又はバネ要素２７との間に保持装置４により動かされる機械的接続（図示せず）があることによって、ロック解除要素２２の作動時にバネ要素２７の圧縮が生じ、それによって接続要素１２の接続要素９からの解放が可能となる。ハウジング２に保持装置４をロックするために、ここでは例えば、接続要素７〜１１で規定される５個の異なる位置を使用可能である。接続要素７〜１１は、例えば、実質的に点形状の部材凹部として形成することができ、又はそれに替えて、ハウジング２の軸方向に延びる溝で形成することもできる。溝の場合、ハウジング２に対する保持装置４の軸方向の変位を阻止するためのクランプ力は、バネ要素２７及び関係する接続要素１２がそれぞれ提供する。
【００２８】
さらに、ハウジングの接続要素７〜１１が電気的接点を有することができ、それらを介して、電気装置１の電源から保持装置４及び／又はハンドル３に電力を伝達することができる。このために、保持装置４の接続要素１２も同様に、電気的接点として形成することができる。そのような電気的接触は、電力供給以外に、例えばハンドル３のスイッチ２１から電気装置１に電気的信号を伝達するためにも用いることができる。図６に示したスイッチ２１は、例えば電気装置１のオンオフスイッチであり、それは、電気的接点として形成された接続要素７〜１２を介して電気装置１の電気的負荷の制御を行い、例えば電気装置１のモータファンユニットのオンオフを行う。さらに、そのような電気的接続を介して保持装置４又はハンドル３上に配置されたディスプレイ、光学的表示機器等にも電力を供給することができる。
【００２９】
図８及び図９は、保持装置４のさらに別の実施形態を示している。保持装置４は、ハウジング２の対応する接続要素７〜１１と歯合する複数の接続要素１２〜１６を有する。接続要素７〜１６は、互いに噛み合うと共に、ハウジング２上で保持装置４を周方向にロックする。歯の輪郭の形状を介して、対応する接続要素７〜１６が互いに分離されかつハウジング２に対する保持装置４の回転を可能とする分離トルクを規定することができる。したがって、この形状的接続は、保持装置４の回転のために必要な所定の回転トルクを規定する。この実施形態では、追加のロック解除要素２２を省くことができる。
【００３０】
図１０は、電気装置１のハウジング２が合計４つの部材凹部として形成された接続要素７〜１０を有するさらに別の実施形態を示している。保持装置４は、それらの接続要素７〜１０に対応する２つの接続要素１２、１３を有し、接続要素１２、１３は部材凸部としてハウジング２の接続要素７〜１０に係合できる。ハウジング２に対する保持装置４の回転を可能とするために、ハンドル３の部分領域が、保持装置４のリング孔２５に挿入される。その場合、保持装置４の直径が増大し、保持装置４の接続要素１２、１３が、ハウジング２の接続要素７、９から出て解放され得る。この実施形態では、例えば、接続要素７〜１０が、ハウジング２の軸方向に（すなわち紙面に垂直にも）長く延びる溝を形成されることが提示され得る。同様に、保持装置４及び／又はハウジング２が、軸方向に関して前後に位置する接続要素７〜１０及び１２、１３を有し、それらがハウジング２の長手方向における保持装置４のハウジング２上での段階的なロックを可能とすることもできる。
【００３１】
図１１は、内側リング要素１７と外側リング要素１８とを有する保持装置４のさらに別の実施形態を示している。内側リング要素１７は、接点レール１９を有する。その接点レール１９は、電気的接点要素を含む接続要素１２を介して電気装置１の電源と接続されることができる。このために、電気装置１のハウジング２上に対応する接続要素（図示せず）があり、それによって接点レールが電流を供給され得ることが好ましい。内側リング要素１７は、電気装置１のハウジング２に固定的に取り付けられており、外側リング要素１８は、内側リング要素１７に対して、したがって接点レール１９に対しても回転可能である。外側リング要素１８は、２つの集電体２０を有し、それらは内側リング要素１７の接点レール１９に対して摩擦的に接触する。それによって、集電体２０は、外側リング要素１８の回転時にも接点レール１９との接触を維持する。集電体２０は、外側リング要素１８内に案内される管（図示せず）によって、例えばハンドル３の電気的スイッチ２１と接続されることができ、そのスイッチを介して例えば電気装置１の電気的負荷が制御され得る。電気的スイッチ２１を押すことにより、電気装置１のモータファンユニットに制御信号を送信することができる。しかしながら、同様に保持装置４に、例えばバッテリ充電標示器、ディスプレイ等の電子的表示要素（図示せず）を設けることもでき、それらは集電体２０及び接点レール１９を介して電気装置１の電源を供給される。
【００３２】
本発明は、掃除機に関して図面に例示されたが、電気装置１は別の装置とすることもでき、例えばドリル、ハンマドリル等の電気工具である。
【符号の説明】
【００３３】
１  電気装置
２  ハウジング
３  ハンドル
４  保持装置
５  溝
６  突起
７、８、９、１０、１１、１２、１３、１４、１５、１６  接続要素
１７、１８  リング要素
１９  接点レール
２０  集電体
２１  スイッチ
２２  ロック解除要素
２３  吸引口
２４  ハウジングハンドル
２５  リング孔
２６  貫通孔
２７  バネ要素
【図１】
2020040201.tif 000003
【図２】
2020040201.tif 000004
【図３】
2020040201.tif 000005
【図４】
2020040201.tif 000006
【図５】
2020040201.tif 000007
【図６】
2020040201.tif 000008
【図７】
2020040201.tif 000009
【図８】
2020040201.tif 000010
【図９】
2020040201.tif 000011
【図１０】
2020040201.tif 000012
【図１１】
2020040201.tif 000013